(57)【要約】      （修正有）【課題】本発明は、表示部の表示に基づいて機能部品やセンサの動作状態を判断することができる給湯機を提供する。【解決手段】給湯動作に用いられる機能部品と、給湯動作の状態を検出するセンサと、機能部品に対して所定の動作指令を行う指令部と、所定の動作指令の内容と、その動作指令に関係するセンサの検出値とを同時に表示する表示部とを備える。例えば、機能部品は、給水源から給湯端末への経路を開放する状態と、遮断する状態とを切り換える電磁弁１０であり、センサは、給水源から給湯端末へ供給される給水の流量を検出する流量センサ１１である。【選択図】図１
2014047967.tif 000002
【特許請求の範囲】
【請求項１】
給湯動作に用いられる機能部品と、
前記給湯動作の状態を検出するセンサと、
前記機能部品に対して所定の動作指令を行う指令部と、
前記所定の動作指令の内容と、その動作指令に関係するセンサの検出値とを同時に表示する表示部とを備えることを特徴とする給湯機。
【請求項２】
前記機能部品は、給水源から給湯端末への経路を開放する状態と、遮断する状態とを切り換える電磁弁であり、
前記センサは、給水源から給湯端末へ供給される給水の流量を検出する流量センサであることを特徴とする請求項１に記載の給湯機。
【請求項３】
前記機能部品は、高温水と低温水とを混合する混合弁であり、
前記センサは、前記高温水の温度と、前記低温水の温度と、前記高温水と低温水とが混合された後の混合水の温度とを検出する温度センサであることを特徴とする請求項１に記載の給湯機。
【発明の詳細な説明】
【技術分野】
【０００１】
本発明は、給湯機に関する。
【背景技術】
【０００２】
給湯機は、電磁弁、混合弁、ポンプ等の機能部品を有するものであり、これらを用いて給湯端末への給湯、浴槽への湯張り、浴槽水の追焚等の給湯動作が行われる。また、給湯機には、これらの給湯動作を行うために機能部品を制御すべく、給湯動作の状態を検出する温度センサや流量センサ等のセンサが設けられている。
【０００３】
給湯機は、この他にも給湯システムの制御部や、これとは別に設けられるリモコンの制御部を有する。給湯システムの制御部は給湯装置内に設けられ、リモコンの制御部は給湯装置の外部に設けられる。そして、ユーザは、リモコンから沸き上げ動作、風呂機能等の行いたい動作を選択し、設定する。リモコンで設定した内容は給湯システムの制御部に送られる。設定内容を受け取った給湯システムの制御部は、その設定と各種センサの検出結果とに基づいてヒートポンプユニット、ポンプ等の駆動を制御する。
【０００４】
また、リモコンにはタンク温度やポンプ等機能部品の現在の状態を表示する機能と、ポンプや混合弁等に指定した動作を行わせる機能を有する。それらの情報はリモコンの画面に表示される。
【０００５】
このような機能は、機能部品やセンサが故障してメンテナンスを行う場合に利用されるものである。このようなメンテナンスの具体例は、例えば特許文献１に提案されており、特許文献１の給湯機では、機能部品に対する動作指令の内容を表示することや、センサの検出値を表示することが可能となっている。
【先行技術文献】
【特許文献】
【０００６】
【特許文献１】特開平７−４２９３３号公報
【発明の概要】
【発明が解決しようとする課題】
【０００７】
しかしながら、上記従来の給湯機は、機能部品に対する動作指令の内容や、センサの検出値を単独で表示部に表示するものであるため、これらの表示だけでは、例えば機能部品が動作指令どおりに動作しているかや、センサが給湯動作の状態を正確に検出しているかを判断することができなかった。従って、機能部品やセンサの動作状態を確認するためには、例えば、実際に機能部品が配置されている場所までメンテナンス者が移動し、動作を確認するといったように、手間がかかる作業となっていた。
【０００８】
そこで、本発明は、表示部の表示に基づいて機能部品やセンサの動作状態を判断することができる給湯機を提供することを目的とする。
【課題を解決するための手段】
【０００９】
本発明は、給湯動作に用いられる機能部品と、前記給湯動作の状態を検出するセンサと、前記機能部品に対して所定の動作指令を行う指令部と、前記所定の動作指令の内容と、その動作指令に関係するセンサの検出値とを同時に表示する表示部とを備えることを特徴とする。
【発明の効果】
【００１０】
本発明によれば、表示部の表示に基づいて機能部品やセンサの動作状態を判断することができる。
【図面の簡単な説明】
【００１１】
【図１】本発明の実施形態に係る給湯機の全体構成を示す図。
【図２】本発明の実施形態に係る給湯機の台所リモコンを示す図。
【図３】本発明の実施形態に係る給湯機の風呂リモコンを示す図。
【図４】本発明の実施形態に係る給湯機のメンテナンス用モードの画面を示す図。
【図５】本発明の実施形態に係る給湯機の電磁弁のテストモードの画面を示す図。
【図６】本発明の実施形態に係る給湯機の混合弁のテストモードの画面を示す図。
【図７】本発明の実施形態に係る給湯機の混合弁のテストモードを他のテストモードから起動する場合の代案の画面を示す図。
【図８】本発明の実施形態に係る給湯機の混合弁のテストモードを他のテストモードから起動する場合のその他の代案の画面を示す図。
【発明を実施するための形態】
【００１２】
以下、本発明の実施形態について説明する。
【００１３】
本実施形態に係る給湯機は、図１に示すように、給水源から供給された清水を貯留するためのタンク５、タンク５に貯留された清水を加熱してお湯を生成するヒートポンプユニット４、及び、これらタンク５及びヒートポンプユニット４と給湯端末等とを接続し、清水またはお湯が流通可能な経路を備える。
【００１４】
また、給湯機は、機能部品として、給水源から給湯端末への経路を開放する状態と遮断する状態とを切り換える（又は、給水源からの給水を給湯端末に向けて供給する状態と供給しない状態とを切り換える）電磁弁１０や、高温水と低温水とを混合する混合弁７、８や、浴槽水循環回路において追焚熱交換器へ向かう経路と追焚熱交換器をバイパスする経路への流量を調整する流量調整弁１２や、浴槽水を浴槽水循環回路で循環させるポンプ６や、ヒートポンプ加熱回路において水をヒートポンプユニット４で加熱した後にタンク上部へ送る状態とヒートポンプユニット４から出た水を循環させる状態とを切り換える三方弁１８（凍結防止三方弁などと呼ばれる）を備える。
【００１５】
なお、電磁弁１０は、浴槽給湯端末への給湯経路に配置されて湯はりを行う際に用いられるため一般的に風呂電磁弁と呼ばれ、混合弁８は、浴槽給湯端末への給湯経路に配置されて湯はりを行う際に用いられるため一般的に風呂混合弁と呼ばれ、混合弁７は、蛇口やシャワー等の一般給湯端末への給湯を行う際に用いられるため一般的に給湯混合弁と呼ばれ、ポンプ６は、浴槽水を浴槽水循環回路で循環させる際に用いられるため一般的に風呂循環ポンプと呼ばれ、三方弁１８は、凍結防止のためにヒートポンプユニット４から出た水を循環させる際に用いられるため一般的に凍結防止三方弁などと呼ばれる。
【００１６】
また、給湯機は、各種のセンサとして、タンク５内の水温を検出するタンク温度センサ１９〜２４、浴槽に張られたお湯の水位を検出する水位センサ１６、前記高温水と低温水とが混合された後の混合水の温度とを検出する温度センサ１４，１７、給湯流量を検出する給湯流量センサ９，１１等を備える。なお、本実施形態に係る給湯機はいわゆる貯湯式の給湯機であり、高温水の温度を検出する温度センサとしては、タンク最頂部の温度センサ１９を用い、低温水の温度を検出する温度センサとしては、タンク最下部の温度センサ２４を用いている。
【００１７】
また、給湯機は、図２に示す台所用リモコン２及び図３に示す風呂用リモコン３を有する。給湯システムの制御基板１は風呂用リモコン３、台所用リモコン２と通信可能に接続されており、風呂用リモコン３または台所用リモコン２から出力された設定と各種センサの検出結果とに基づいて、ヒートポンプユニット４、ポンプ６等の駆動を制御する。なお、風呂用リモコン３または台所用リモコン２は、機能部品に対して所定の動作指令を行う指令部、及び、所定の動作指令の内容やセンサの検出値を表示する表示部として機能する。
【００１８】
ヒートポンプユニット４は電気を間接的に用いて熱を生成する熱源であり、タンク５に貯留された清水は、ヒートポンプユニット４によって生成された熱と熱交換することによって加熱されてお湯となる。なお、熱源は、前記したヒートポンプユニット４に限定されず、電気を用いて熱を生成するヒータがタンク５内に配置される構成であっても良い。
【００１９】
ユーザが給湯機を操作する際には風呂用リモコン３または台所用リモコン２から使用する動作を選択し、決定する。
【００２０】
風呂用リモコン３、台所用リモコン２、及びヒートポンプユニット４からの動作指令は、給湯システムの制御基板１に送信され、給湯システムの制御基板１からそれぞれの制御部に送信される。
【００２１】
給湯システムの制御基板１を中心としてデータの送受信をおこなうことで、台所用リモコン２とヒートポンプユニット４、台所用リモコン２と風呂用リモコン３、風呂用リモコン３とヒートポンプユニット４を接続する必要がなくなり、効率が良い。
【００２２】
風呂用リモコン３と台所用リモコン２はどちらも、タンク温度センサ１９〜２４、給湯温度センサ１７、温度センサ１４の値や三方弁１８の状態、ヒートポンプユニット４の動作等機能部品の動作状態を確認できる機能と、混合弁８、ポンプ６等機能部品を単品で動作させることができる機能を有している。
【００２３】
また、給湯機１は、メンテナンス用のモードとして、機能部品の動作状態を表示するモード（テストモード１）、機能部品に対して所定の動作指令を行い、機能部品を動作させるモード（テストモード２）と、機能部品に対して所定の動作指令を行い、且つ、動作指令の内容と、その動作指令に関係するセンサの検出値とを同時に表示するモード（テストモード３）とを有する。これらの機能は通常ユーザは使用しないため、特定のキー操作でメンテナンス用のモードに入り、図４に示すような画面を表示させて、選択、操作することができる。
【００２４】
テストモード３では、同画面に機能部品の動作を選択する項目と、その機能部品に関連する機能部品の状態、または温度センサや流量センサの値を表示する。
【００２５】
次に、給湯動作に用いられる機能部品が電磁弁１０であり、給湯動作の状態を検出するセンサが流量センサ１０である場合について説明する。
【００２６】
例えば浴槽給湯端末への給湯である湯はりを行ったが適切に注湯されなかった場合には、電磁弁１０が正常に動作しているかをメンテナンスにおいて確認する。
【００２７】
まず、メンテナンス用のモードを起動しテストモード３を選択する。図５に示す電磁弁１０のページには、電磁弁１０のＯＮ・ＯＦＦ状態、流量センサ１１、給湯流量センサ９の値が表示されている。
【００２８】
このページで電磁弁１０をＯＮにして流量に０ではない値が表示されれば、電磁弁１０が正常にＯＮの動作を行ったことが分かる。次にＯＦＦにして流量は０になれば、正常にＯＦＦの動作が行われたことが分かる。
【００２９】
一方で、このページで電磁弁１０をＯＮにしても流量が０であったり、明らかに少ない流量である場合や、電磁弁１０をＯＦＦにしても流量が０にならない場合などには、電磁弁又は流量センサが故障していることが分かる。
【００３０】
次に、給湯動作に用いられる機能部品が混合弁７であり、給湯動作の状態を検出するセンサがタンク最頂部の温度センサ１９、タンク最下部の温度センサ２４、給湯温度センサ１７、給湯流量センサ９である場合について説明する。
【００３１】
例えば一般給湯端末での給湯動作を行っても、給湯温度が設定温度と異なるなど、適切に給湯されなかった場合には、混合弁７が正常に動作しているかをメンテナンスにおいて確認する。図６に示す給湯混合弁７のページには、給湯混合弁７の開度（具体的には対応するパルス数）、タンク最頂部の温度センサ１９、タンク最下部の温度センサ２４、給湯温度センサ１７、給湯流量センサ９の値が表示されている。
【００３２】
そして、タンク最頂部付近の温度とタンク最下部付近の温度から、給湯混合弁７の開度を操作し、給湯温度センサ１７の値から高温水と低温水が正常に混合されているかを判断することができる。
【００３３】
給湯混合弁７を湯側全開にすればタンク最頂部の温度センサ１９の値に近くなり、水側全開にすればタンク最下部の温度センサ２４の値に近くなるはずである。水側から徐々に湯側に開度を上げていき、給湯温度センサ１７の検知する温度が徐々に上がることで、給湯混合弁７の動作を確認することができる。
【００３４】
一方で、タンク最頂部付近の温度とタンク最下部付近の温度と給湯混合弁７の開度との関係から想定される温度が給湯温度センサ１７の値と異なる場合には、給湯混合弁７、タンク最頂部の温度センサ１９、タンク最下部の温度センサ２４、給湯温度センサ１７の少なくとも一つが故障していることが分かる。
【００３５】
このように、本実施形態によれば、表示部の表示に基づいて機能部品やセンサの動作状態を判断することができる。
【００３６】
この点、従来であれば、メンテナンス用のモードを起動し、部品を動作させるテストモード２から電磁弁１０をＯＮさせて実際に浴槽まで行き、注湯されているか、または貯湯ユニット２５内に取り付けられた電磁弁１０が開くかどうかを実際に確認する必要があった。
【００３７】
また、この他にも、例えば、風呂用リモコン３でテストモード２を起動して電磁弁１０をＯＮさせた上で、台所用リモコン２で部品状態の表示のみを行うテストモード１を起動して、電磁弁１０をＯＮにした場合に流量が検出されるかどうかで確認するといったように、台所用リモコン２と風呂用リモコン３とを用いる方法もあったが、台所用リモコン２と風呂用リモコン３はそれぞれ別々の場所に設置されるため、確認作業が困難であった。
【００３８】
一方、本実施形態によれば、同画面に機能部品の動作を選択する項目と、その機能部品に関連する機能部品の状態、又は温度センサや流量センサの値を表示するテストモード３によって機能部品の動作確認を一つのリモコンで行うことができる。
【００３９】
なお、上記実施形態においては、テストモード１や２とは別にテストモード３が設けられるものを例に説明したが、同画面に機能部品の動作を選択する項目と、その機能部品に関連する機能部品の状態、または温度センサや流量センサの値を表示する方法としては、図７に示すように、テストモード１から動作させられる機能部品を選択してテストモード３に相当するモードを起動する方法や、図８に示すように、テストモード２から起動させる部品を選択してテストモード３に相当するモードを起動する方法であってもよい。
【符号の説明】
【００４０】
１…制御基板、２…台所用リモコン、３…風呂用リモコン、４…ヒートポンプユニット、５…タンク、６…ポンプ、７，８…混合弁、９，１１…流量センサ、１０…電磁弁、１４，１７，１９〜２４…温度センサ、１６…水位センサ、１８…三方弁
【図１】
2014047967.tif 000003
【図２】
2014047967.tif 000004
【図３】
2014047967.tif 000005
【図４】
2014047967.tif 000006
【図５】
2014047967.tif 000007
【図６】
2014047967.tif 000008
【図７】
2014047967.tif 000009
【図８】
2014047967.tif 000010